(57)【要約】【課題】容易に操作できると共に、収納されている際にはハンドルによる回動動作が伝達され得ないことで意図しない動作を防止できる収納型ハンドル動作伝達機構を提供する。【解決手段】ハンドル部材１０と、ハンドル収納ケース２０と、複数の案内溝３３及び複数の傾斜案内保持部３５を備えるインナーガイド３０と、筒状部４２に被係合案内溝４３及び誘導傾斜面４４を備えて底状部４５が出力部となる回動操作伝達体部４０とを備え、ハンドル部材１０が、突出ハンドル部１１と、複数の外周突起部１２と、複数の軸方向突起部１３とを備え、軸方向突起部１３を受ける受け斜面５３を形成する部位であって、案内溝３３や被係合案内溝４３に係合される部位であると共に、傾斜案内保持部３５に受けられて奥側にロックされる部位にもなっている複数の係合突起部を備えるブレード５０と、ブレード５０と回動操作伝達体部４０との間に配されるスプリング６０とを備える。【選択図】図３
2019044814.tif 000002
【特許請求の範囲】
【請求項１】
ハンドル操作ができるように、収納された状態からスラストロック機構の動作によって一部が突出された状態に変位できるハンドル部材と、
設置場所に固定される部位が設けられ、前記ハンドル部材の一部を突出可能に収納できる内部スペースを備えるハンドル収納ケースと、
該ハンドル収納ケースに、軸心を中心に回動可能に収納される部材として設けられ、軸方向に溝状に延びて奥側に開いた案内溝と、奥端面に二段の案内傾斜面が設けられると共に該二段の案内傾斜面によって形成される段部がスラストロック機構のロック部として機能する傾斜案内保持部とが、円筒状形における円周等分位置に複数が交互に設けられていることで形成されているインナーガイドと、
該インナーガイドの前記案内溝と前記傾斜案内保持部とが内側に位置するように有底筒状に構成され、前記ハンドル収納ケースに軸心を中心に回動可能に収納される形態に設けられ、筒状部に、軸方向に溝状に伸びて奥側に開いた被係合案内溝と、該被係合案内溝に連続するように奥側で傾斜している誘導傾斜面とが、円筒状形の円周等分位置に複数が交互に設けられ、底状部が、軸心を中心に回動可能に前記筒状部と一体的になる構成として設けられると共に回動動作を奥側へ出力する部位として設けられている回動操作伝達体部とを備え、
前記ハンドル部材が、前記インナーガイドの内側に収納されて該インナーガイドに設けられた手前開口から手前側へ突出される突出ハンドル部と、該突出ハンドル部よりも奥側に設けられた円形状のベース部に形成され、前記インナーガイドの前記案内溝に嵌って軸方向の移動が案内されるように外周の円周等分位置に径方向へ突起して設けられた複数の外周突起部と、奥端面の外周部の円周等分位置に軸方向の奥側へ突起して形成された複数の軸方向突起部とを備え、
前記ハンドル部材の奥側に軸心を中心に回動可能に配され、前記ハンドル部材の前記軸方向突起部を受けるように当接する受け斜面を形成する部位であって、前記インナーガイドに対しては、前記ハンドル部材による回動動作が前記回動操作伝達体部へ伝達される際には前記案内溝に嵌って軸方向の移動が案内されて係合される部位であると共に、前記ハンドル部材による回動動作が前記回動操作伝達体部へ伝達されない際には前記傾斜案内保持部に受けられて奥側にロックされる部位であって、前記回動操作伝達体部に対しては、内包されるように配され、前記ハンドル部材による回動動作が該回動操作伝達体部へ伝達される際には前記誘導傾斜面に案内されて前記被係合案内溝に嵌ることで係合される部位となるように、円形状の基体部の外周における円周等分位置に径方向外側へ突起した形状に設けられた複数の係合突起部を備えるブレードと、
該ブレードの奥側の面と、前記回動操作伝達体部の内底面との間に配され、前記ブレードを介して前記ハンドル部材を奥から手前方向へ付勢する付勢力を生じさせる弾性手段であって、該付勢力によって前記ブレードの前記係合突起部が前記案内溝及び前記被係合案内溝に係合・案内されて該ブレードを介して前記突出ハンドル部を手前に突出させた場合には、前記ハンドル部材による軸心を中心にした回動動作が前記回動操作伝達体部を介して外部へ出力されるように係合状態を保持させるスプリングとを備えることを特徴とする収納型ハンドル動作伝達機構。
【請求項２】
前記ハンドル収納ケースが、筒状に設けられた筒状本体を備え、該筒状本体の手前端側に、設置場所に固定される部位である外周フランジ部を備えると共に、収納された前記インナーガイドの手前面の外周鍔部に当接して保持できるように形成された内周フランジ部を備えるボックス部と、該ボックス部の奥側に固定され、前記回動操作伝達体部の底状部に当接して保持すると共に回動動作の出力を取り出すための出力用の開口孔が形成されている底蓋とを構成要素とすることを特徴とする請求項１記載の収納型ハンドル動作伝達機構。
【請求項３】
前記回動操作伝達体部が、前記被係合案内溝と前記誘導傾斜面が形成された前記筒状部として設けられたアウターガイドと、該アウターガイドとは別体に設けられて奥側に出力軸が突起した形態に形成された前記底状部とによって構成され、該アウターガイドと該底状部とが軸心を中心に一体的に回動可能に係合されて設けられていることを特徴とする請求項１又は２記載の収納型ハンドル動作伝達機構。
【請求項４】
請求項３に記載の収納型ハンドル動作伝達機構を備える水栓の開閉器であって、
前記回動操作伝達体部の前記出力軸が、回動によって開閉がなされる水栓の操作軸と連結されていることを特徴とする水栓の開閉器。
【請求項５】
床の下方に設置された水栓を開閉するように、前記ハンドル収納ケースが床に埋め込み状態に設置されることを特徴とする請求項４記載の水栓の開閉器。
【発明の詳細な説明】
【技術分野】
【０００１】
本発明は、ハンドル操作ができるように、収納された状態からスラストロック機構の動作によって一部が突出された状態に変位できるハンドル部材を備える収納型ハンドル動作伝達機構に関する。
【背景技術】
【０００２】
従来、本出願人によって、ハンドル収納ケースに一体の案内管は底部中央に係合子を回動自在に軸支すると共に内面所要位置に円弧状断面のリング溝を周設し、前記係合子は上部を角軸にすると共に下部にユニバーサルジヨイントを連結し、ハンドルに一体の円筒管は前記案内管に昇降自在に挿通されて下部の所要位置に複数個の貫通孔を貫設すると共に貫通孔に外周へはみ出し状に小球を収納し、下端には一端を前記案内管の底部に係止したスプリングの他端を係止し、ハンドルは中央部に凹設した中空部に角孔を貫設すると共に該角孔に頭部が角軸なる係合管を昇降自在に案内し、該角軸に係止した押ボタンには一端を前記中空部に係止したスプリングの他端を係止し、前記係合管の下部外周には前記小球の逃げ面となる位置に円弧状断面のリング溝を周設すると共に内部には角孔を貫設して係合子の角軸を挿通して成る不凍給水栓の開閉器（特許文献１参照）が、提案されている。
【０００３】
これによれば、ハンドル（ハンドル部材）を収納でき、容易に操作できるものであるが、ハンドル部材がハンドル収納ケースに収納されている際を含めて常に、ハンドル部材からの回動動作が出力軸である角軸からユニバーサルジョイント側へ伝達される構成になっており、僅かな可能性であって実際的には問題となる事象は生じていないが、ハンドル部材が収納されている場合でも、そのハンドル部材を介して意図しない回動伝達の動作が生じる可能性がある。
【先行技術文献】
【特許文献】
【０００４】
【特許文献１】実公平０５−３７１０４号公報（実用新案登録請求の範囲）
【発明の概要】
【発明が解決しようとする課題】
【０００５】
収納型ハンドル動作伝達機構及び水栓の開閉器に関して解決しようとする課題は、上記先行技術の形態では、容易に操作できるが、ハンドル部材がハンドル収納ケースに収納されている際においてもハンドル部材からの回動動作が出力軸側へ伝達され得る構成になっており、僅かではあるが意図しない動作が生じる可能性がある点にある。
【０００６】
そこで、本発明の目的は、容易に操作できると共に、収納されている際にはハンドル部材による回動動作が伝達され得ないことで意図しない動作を確実に防止できる収納型ハンドル動作伝達機構を提供することにある。
【課題を解決するための手段】
【０００７】
本発明は上記目的を達成するために次の構成を備える。
本発明にかかる収納型ハンドル動作伝達機構の一形態によれば、ハンドル操作ができるように、収納された状態からスラストロック機構の動作によって一部が突出された状態に変位できるハンドル部材と、設置場所に固定される部位が設けられ、前記ハンドル部材の一部を突出可能に収納できる内部スペースを備えるハンドル収納ケースと、該ハンドル収納ケースに、軸心を中心に回動可能に収納される部材として設けられ、軸方向に溝状に延びて奥側に開いた案内溝と、奥端面に二段の案内傾斜面が設けられると共に該二段の案内傾斜面によって形成される段部がスラストロック機構のロック部として機能する傾斜案内保持部とが、円筒状形における円周等分位置に複数が交互に設けられていることで形成されているインナーガイドと、該インナーガイドの前記案内溝と前記傾斜案内保持部とが内側に位置するように有底筒状に構成され、前記ハンドル収納ケースに軸心を中心に回動可能に収納される形態に設けられ、筒状部に、軸方向に溝状に伸びて奥側に開いた被係合案内溝と、該被係合案内溝に連続するように奥側で傾斜している誘導傾斜面とが、円筒状形の円周等分位置に複数が交互に設けられ、底状部が、軸心を中心に回動可能に前記筒状部と一体的になる構成として設けられると共に回動動作を奥側へ出力する部位として設けられている回動操作伝達体部とを備え、前記ハンドル部材が、前記インナーガイドの内側に収納されて該インナーガイドに設けられた手前開口から手前側へ突出される突出ハンドル部と、該突出ハンドル部よりも奥側に設けられた円形状のベース部に形成され、前記インナーガイドの前記案内溝に嵌って軸方向の移動が案内されるように外周の円周等分位置に径方向へ突起して設けられた複数の外周突起部と、奥端面の外周部の円周等分位置に軸方向の奥側へ突起して形成された複数の軸方向突起部とを備え、前記ハンドル部材の奥側に軸心を中心に回動可能に配され、前記ハンドル部材の前記軸方向突起部を受けるように当接する受け斜面を形成する部位であって、前記インナーガイドに対しては、前記ハンドル部材による回動動作が前記回動操作伝達体部へ伝達される際には前記案内溝に嵌って軸方向の移動が案内されて係合される部位であると共に、前記ハンドル部材による回動動作が前記回動操作伝達体部へ伝達されない際には前記傾斜案内保持部に受けられて奥側にロックされる部位であって、前記回動操作伝達体部に対しては、内包されるように配され、前記ハンドル部材による回動動作が該回動操作伝達体部へ伝達される際には前記誘導傾斜面に案内されて前記被係合案内溝に嵌ることで係合される部位となるように、円形状の基体部の外周における円周等分位置に径方向外側へ突起した形状に設けられた複数の係合突起部を備えるブレードと、該ブレードの奥側の面と、前記回動操作伝達体部の内底面との間に配され、前記ブレードを介して前記ハンドル部材を奥から手前方向へ付勢する付勢力を生じさせる弾性手段であって、該付勢力によって前記ブレードの前記係合突起部が前記案内溝及び前記被係合案内溝に係合・案内されて該ブレードを介して前記突出ハンドル部を手前に突出させた場合には、前記ハンドル部材による軸心を中心にした回動動作が前記回動操作伝達体部を介して外部へ出力されるように係合状態を保持させるスプリングとを備える。
【０００８】
また、本発明にかかる収納型ハンドル動作伝達機構の一形態によれば、前記ハンドル収納ケースが、筒状に設けられた筒状本体を備え、該筒状本体の手前端側に、設置場所に固定される部位である外周フランジ部を備えると共に、収納された前記インナーガイドの手前面の外周鍔部に当接して保持できるように形成された内周フランジ部を備えるボックス部と、該ボックス部の奥側に固定され、前記回動操作伝達体部の底状部に当接して保持すると共に回動動作の出力を取り出すための出力用の開口孔が形成されている底蓋とを構成要素とすることを特徴とすることができる。
【０００９】
また、本発明にかかる収納型ハンドル動作伝達機構の一形態によれば、前記回動操作伝達体部が、前記被係合案内溝と前記誘導傾斜面が形成された前記筒状部として設けられたアウターガイドと、該アウターガイドとは別体に設けられて奥側に出力軸が突起した形態に形成された前記底状部とによって構成され、該アウターガイドと該底状部とが軸心を中心に一体的に回動可能に係合されて設けられていることを特徴とすることができる。
【００１０】
また、本発明にかかる水栓の開閉器の一形態によれば、上記収納型ハンドル動作伝達機構を備える水栓の開閉器であって、前記回動操作伝達体部の前記出力軸が、回動によって開閉がなされる水栓の操作軸と連結されていることを特徴とすることができる。
【００１１】
また、本発明にかかる水栓の開閉器の一形態によれば、床の下方に設置された水栓を開閉するように、前記ハンドル収納ケースが床に埋め込み状態に設置されることを特徴とすることができる。
【発明の効果】
【００１２】
本発明にかかる収納型ハンドル動作伝達機構及び水栓の開閉器によれば、容易に操作できると共に、収納されている際にはハンドルによる回動動作が伝達され得ないことで意図しない動作を確実に防止できるという特別有利な効果を奏する。
【図面の簡単な説明】
【００１３】
【図１】本発明に係る収納型ハンドル動作伝達機構の形態例を示す平面図（ａ）及び断面図（ｂ）である。
【図２】図１の形態例を分解した状態を示す分解斜視図である。
【図３】図１の形態例において、ハンドル収納ケースのボックス部を縦半分に破断することで、ハンドル部材が収納された状態の内部構造を示す斜視図である。
【図４】図３の形態例におけるインナーガイドとハンドル部材及びブレードとの係合状態を示す平面図（ａ）及び側面図（ｂ）である。
【図５】図３の形態例におけるハンドル部材とブレードとの接触状態を示す平面図（ａ）及び側面図（ｂ）である。
【図６】図５の手前側から見た状態を示す斜視図（ａ）及び奥側から見た状態を示す斜視図（ｂ）である。
【図７】図３の形態例におけるアウターガイドとブレードとが係合状態になっていない位置関係を手前側から見た状態を示す斜視図である。
【図８】図１の形態例において、ハンドル収納ケースのボックス部を縦半分に破断することで、ハンドル部材が突出された状態の内部構造を示す斜視図である。
【図９】図８の形態例におけるアウターガイドとブレードとが係合状態になっている位置関係を手前側から見た状態を示す斜視図である。
【図１０】本形態例におけるインナーガイドを示す手前側から見た斜視図（ａ）及び奥面側から見た斜視図（ｂ）である。
【図１１】本形態例におけるハンドル部材を示す手前側から見た斜視図（ａ）及び奥面側から見た斜視図（ｂ）である。
【図１２】本形態例における回動操作伝達体部のアウターガイドを示す手前側から見た斜視図（ａ）及び奥面側から見た斜視図（ｂ）である。
【図１３】図１の形態例の使用状態を示す断面図である。
【発明を実施するための形態】
【００１４】
以下、本発明に係る収納型ハンドル動作伝達機構の形態例を添付図面（図１〜１３）に基づいて詳細に説明する。この収納型ハンドル動作伝達機構は、ハンドル操作ができるように、収納された状態からスラストロック機構の動作によって一部が突出された状態に変位できるハンドル部材１０を備えるものである。
【００１５】
２０はハンドル収納ケースであり、設置場所に固定される部位が設けられ、ハンドル部材１０の一部を突出可能に収納できる内部スペースを備えている。この内部スペースは、ハンドル部材１０、インナーガイド３０、回動操作伝達体部４０、ブレード５０、及びスプリング６０という内包される部品が収納されるスペースであり、それらの部品が離脱してバラバラにならないように保持されるべく、ボックス部２１と、これを奥側である下面で閉じるように受ける底蓋２５とによって設けられるスペースになっている。
【００１６】
３０はインナーガイドであり、図１０などに示すように、ハンドル収納ケース２０に、軸心を中心に回動可能に収納される部材として設けられ、軸方向に溝状に延びて奥側に開いた案内溝３３と、奥端面に二段の案内傾斜面３６（一方の案内傾斜面３６ａ、他方の案内傾斜面３６ｂ）が設けられると共にその二段の案内傾斜面３６によって形成される段部３７がスラストロック機構のロック部として機能する傾斜案内保持部３５とが、円筒状形における円周等分位置に複数が交互に設けられていることで形成されている。
【００１７】
本形態例のインナーガイド３０では、手前面である上面部３１に突出ハンドル部１１が突出できる手前開口３１ａが形成され、案内溝３３と傾斜案内保持部３５とが、円周６等分位置に交互に配置された形態となっている。また、上面部３１は、円盤状に形成されており、案内溝３３が閉じる側となっていると共に、傾斜案内保持部３５を形成するように軸方向奥側方向である下方へ延設された部位の根元部を形成するベース部になっている。
【００１８】
また、上面部３１の手前開口３１ａの形状は、本形態例では、径方向の３方向へ突起した三翼形状になっているが、これに限定されることはなく、他のハンドル部材の形態に対応させて適宜に形成すればよく、ハンドル操作を適切にできれば他の形態であっても良いのは勿論である。
【００１９】
４０は回動操作伝達体部であり、インナーガイド３０の案内溝３３と傾斜案内保持部３５とが内側に位置するように有底筒状に構成され、ハンドル収納ケース２０に軸心を中心に回動可能に収納される形態に設けられ、筒状部４２に、軸方向に溝状に伸びて奥側に開いた被係合案内溝４３と、その被係合案内溝４３に連続するように奥側で傾斜している誘導傾斜面４４とが、円筒状形の円周等分位置に複数が交互に設けられ、底状部４５が、軸心を中心に回動可能に被係合案内溝４３及び誘導傾斜面４４を形成する部位（筒状部４２）と一体的になる構成として設けられると共に回動動作を奥側へ出力する部位として設けられている。
【００２０】
本形態例の回動操作伝達体部４０は、インナーガイド３０の上面部３１の外周部であってフランジ状に形成された外周鍔部３１ｂの奥側の面に当接する位置まで、そのインナーガイド３０にその奥側から外嵌する筒状部４２を備え、ハンドル部材１０、ブレード５０、スプリング６０、及びインナーガイド３０の手前面（上面部３１）を除く案内溝３３と傾斜案内保持部３５を内包して収納するように、底状部４５によって筒状部４２の奥側の端面が閉じるように受けられた構成になっている。
【００２１】
また、図１１などに示すように、ハンドル部材１０については、インナーガイド３０の内側に収納（図３参照）されてそのインナーガイド３０に設けられた手前開口３１ａから手前側へ突出（図８参照）される突出ハンドル部１１と、その突出ハンドル部１１よりも奥側に設けられた円形状のベース部１４に形成され、インナーガイド３０の案内溝３３に嵌って軸方向の移動（変位）が案内されるように外周の円周等分位置に径方向へ突起して設けられた複数の外周突起部１２と、奥端面の外周部の円周等分位置に軸方向の奥側へ突起して形成された複数の軸方向突起部１３とを備えている。
【００２２】
本形態例の突出ハンドル部１１は、径方向の３方向へ突起した三翼形状になっているが、本発明はこれに限定されることはなく、ハンドルとして機能する他の形状を採用できるのは勿論である。また、本形態例の外周突起部１２は、案内溝３３の数に対応して円周６等分の位置のそれぞれに設けられ、本形態例の軸方向突起部１３は、円周１２等分の位置のそれぞれに二等辺三角形状に奥側へ突起し、全体としては閉じた円形の帯状端面に波状に繰り返して奥側に突起した形態に設けられているが、それらの数は、本発明はこれに限定されることはなく、複数であればよく適宜に設定可能である。
【００２３】
５０はブレードであり、図６などに示すように、ハンドル部材１０の奥側に軸心を中心に回動可能に配され、ハンドル部材１０の軸方向突起部１３を受けるように当接する受け斜面５３を形成する部位であって、インナーガイド３０に対しては、ハンドル部材１０による回動動作が回動操作伝達体部４０へ伝達される際には案内溝３３に嵌って軸方向の移動が案内されて係合される部位であると共に、ハンドル部材１０による回動動作が回動操作伝達体部４０へ伝達されない際には傾斜案内保持部３５に受けられて奥側にロックされる部位であって、回動操作伝達体部４０に対しては、内包されるように配され、ハンドル部材１０による回動動作が回動操作伝達体部４０へ伝達される際には誘導傾斜面４４に案内されて被係合案内溝４３に嵌ることで係合される部位となるように、円形状の基体部５１の外周における円周等分位置に径方向外側へ突起した形状に設けられた複数の係合突起部５２を備える。なお、本形態例では、この係合突起部５２が設けられている数と、これに対応して係合関係となるように設けられている案内溝３３、傾斜案内保持部３５及び被係合案内溝４３などの数とは、同一となる関係になっているが、本発明はこれに限定されることなく、倍数関係などの適宜な対応関係になっていればよい。
【００２４】
また、本形態例のブレード５０では、円形状の基体部５１の手前側である円形上部５１ａ（図７、９参照）が、ハンドル部材１０の奥側の面に設けられた円形凹部１５（図１１（ｂ）参照）に、軸心を中心に回動可能に嵌った状態に配されている。これによって、ブレード５０が、ハンドル収納ケース２０や回動操作伝達体部４０の軸の中心に適切に位置され、そのブレード５０の受け斜面５３を、その受け斜面５３に当接したハンドル部材１０の軸方向突起部１３が押しのけるように押圧することで、そのブレード５０が斜面の作用で確実に回動されるように作動することができるなど、適切に配された状態になっている。
【００２５】
６０はスプリングであり、ブレード５０の奥側の面５４（図６参照）と、回動操作伝達体部４０の内底面４６との間に配され、ブレード５０を介してハンドル部材１０を奥から手前方向へ付勢する付勢力を生じさせる弾性手段であって、その付勢力によってブレード５０の係合突起部５２が案内溝３３及び被係合案内溝４３に係合・案内されてブレード５０を介して突出ハンドル部１１を手前に突出させた場合（図８参照）には、ハンドル部材１０による軸心を中心にした回動動作が回動操作伝達体部４０を介して外部へ出力されるように係合状態を保持させるように作用する。なお、本形態例では、スプリング６０が適切に保持された状態に配されるように、ブレード５０の奥側の面５４にはスプリング６０の外径が嵌る円形の凹部５４ａ（図６参照）が設けられており、回動操作伝達体部４０の内底面４６（図２参照）にはスプリング６０の内径が嵌る円形の凸部４６ａ（図２参照）が設けられている。また、本発明に係るスプリング６０としては、本形態例のようなコイルスプリング（図２参照）に限定されるものではなく、バネ性を備える他の弾性部材を用いることができるのは勿論である。
【００２６】
また、このスプリング６０の付勢力に抗して突出ハンドル部１１を奥側へ変位させて保持させた場合には、ブレード５０の係合突起部５２が、案内溝３３及び被係合案内溝４３から奥側へ離脱する状態（係合が解除された状態）となり、ハンドル部材１０による軸心を中心にした回動動作が回動操作伝達体部４０に伝達されない接続が切れた状態になる。このようにハンドル部材１０による回動動作が伝達されない状態は、ブレード５０の係合突起部５２が傾斜案内保持部３５でロックされた際であって突出ハンドル部１１がハンドル収納ケース２０内に収納されている場合（図３参照）と、突出ハンドル部１１が突出していない収納状態のハンドル部材１０をさらに奥側へ押し込んだ場合に、生じることになる。
【００２７】
本発明に係る収納型ハンドル動作伝達機構によれば、突出ハンドル部１１がハンドル収納ケース２０内に収納されていて、ハンドル操作が想定されていない場合であって、ブレード５０の係合突起部５２と、案内溝３３及び被係合案内溝４３との係合が解除された状態では、回動動作の接続が完全に切断された状態となる。すなわち、突出ハンドル部１１が収納されている際には、ブレード５０と、インナーガイド３０及び回動操作伝達体部４０（アウターガイド４１）との係合が解除されて、ハンドル部材１０による回動動作が出力側へ確実に伝達され得ない状態となり、意図しない動作を確実に防止できる。
【００２８】
また、本発明に係る収納型ハンドル動作伝達機構によれば、ハンドル収納ケース２０に対する突出ハンドル部１１の突出操作と収納操作を、スラストロック機構を利用して、奥側（本形態例では下側）へ押し込む動作だけの簡単な操作で容易に行うことができる。さらに、スラストロック機構を利用した構造であるため、軸方向の長さを抑制する構成とすることができ、機構のコンパクト化を図ることができるという利点もある。
【００２９】
次に、本形態例の収納型ハンドル動作伝達機構による突出ハンドル部１１の突出操作について説明する。図１、３〜７に示す状態は、突出ハンドル部１１がハンドル収納ケース２０内に収納されている状態であり、図３に示すように、ブレード５０の係合突起部５２が傾斜案内保持部３５に受けられてロックされている。この状態から、ハンドル部材１０をスプリング６０の付勢力に抗して奥側の方向（本形態例では下方）へ押し込むと、軸方向突起部１３によって係合突起部５２が下方へ押されてインナーガイド３０の傾斜案内保持部３５によるロックが解除され、さらに軸方向突起部１３が係合突起部５２の受け斜面５３を押すことで、斜面とスプリング６０の付勢力との作用でブレード５０が一方向（本形態例では時計回り方向）へ回動される。次に下方への押圧力を緩めると、スプリング６０の付勢力によって傾斜案内保持部３５の一方の案内傾斜面３６ａの作用によって係合突起部５２が案内されてブレード５０がさらに時計回り方向へ回動される。これによって、係合突起部５２が案内溝３３及び被係合案内溝４３に案内され（図８、９参照）、スプリング６０の付勢力によって、ブレード５０を介してハンドル部材１０を手前側の方向（本形態例では上方）へスライド移動・変位させることができ、図８に示すように、突出ハンドル部１１を突出させることができる。このように、突出ハンドル部１１が突出した場合は、前述のように、ハンドル部材１０による回動動作が、回動操作伝達体部４０を介して外部へ伝達される状態となる。
【００３０】
次に、本形態例の収納型ハンドル動作伝達機構による突出ハンドル部１１の収納操作について説明する。図８に示す状態から、ハンドル部材１０が収納されるように押し込むと、ブレード５０の係合突起部５２が、案内溝３３及び被係合案内溝４３から奥側（本形態例では下方）へ外れた位置まで押圧され、さらに軸方向突起部１３が係合突起部５２の受け斜面５３を押すことで、斜面とスプリング６０の付勢力との作用でブレード５０が一方向（本形態例では時計回り方向）へ回動され、係合突起部５２の受け斜面５３が、他方の案内傾斜面３６ｂによって受けられる状態となる。次に下方への押圧力を緩めると、スプリング６０の付勢力によって傾斜案内保持部３５の他方の案内傾斜面３６ｂの作用によって係合突起部５２が案内されてブレード５０がさらに時計回り方向へ回動される。これによって、係合突起部５２が傾斜案内保持部３５の段部３７にロックされることになり、突出ハンドル部１１が収納された状態に保持される（図３参照）。この状態で、突出ハンドル部１１は、重力によってハンドル収納ケース２０内に収納された状態を維持することになる。このように、突出ハンドル部１１が収納された場合は、前述のように、ハンドル部材１０による回動動作が、回動操作伝達体部４０へ伝達されない状態となる。
【００３１】
また、本形態例では、ハンドル収納ケース２０が、筒状に設けられた筒状本体２２を備え、その筒状本体２２の手前端側に、設置場所に固定される部位である外周フランジ部２３を備えると共に、収納されたインナーガイド３０の手前面（上面部３１）の外周鍔部３１ｂに上側から当接して保持できるように形成された内周フランジ部２４を備えるボックス部２１と、そのボックス部２１の奥側に蓋をするように固定され、回動操作伝達体部４０の底状部４５に当接して保持すると共に回動動作の出力を取り出すための出力用の開口孔２６が形成されている底蓋２５とを構成要素とするように設けられている。また、本形態例では、出力用の開口孔２６（図２参照）が中央部に設けられ、回動動作が外部奥側へ出力される構成になっている。なお、本形態例では、ボックス部２１の筒状本体２２の奥端部に、底蓋２５が螺子によって固定される構造になっているが、本発明はこれに限定されることはなく他の方法によって固定されても良いのは勿論である。
【００３２】
これによれば、ハンドル収納ケース２０を、床（図１３参照）などの設置場所に適切に固定することができる無駄のない合理的な形態とすることができると共に、組み立て易い構成とすることができる。従って、生産性を向上でき、生産コストを低減できる。本形態例のハンドル収納ケース２０では、図１３に示すように、床板７０に設けられた被設置孔７１に筒状本体２２の部位を嵌め入れ、その被設置孔の周縁となっている床板上面７２に載った状態に位置する外周フランジ部２３に設けられた複数のビス孔２３ａを用い、ビス止めによって床に固定することができる。
【００３３】
また、本形態例では、回動操作伝達体部４０が、被係合案内溝４３と誘導傾斜面４４が形成された筒状部４２として設けられたアウターガイド４１（図１２参照）と、そのアウターガイド４１とは別体に設けられて奥側に出力軸４７（図１、１３参照）が突起した形態に形成された底状部４５とによって構成され、そのアウターガイド４１とその底状部４５とが軸心を中心に一体的に回動可能に係合されて設けられている。なお、本形態例のアウターガイド４１と底状部４５との係合関係は、アウターガイド４１の奥端面円周縁部に円周等分（本形態例では４等分）位置で奥側へ突起して設けられた複数の奥端面突起部４２ａ（図１２など参照）が、底状部４５の円周縁部に円周等分（本形態例では４等分）位置で径方向内側へ切欠かれた複数の円周凹部４５ａ（図２、３など参照）に嵌ることで、両者が共に軸心を中心に回動可能に一体化されて回動操作伝達体部４０を構成する接続結合形態になっている。また、この本形態例の出力軸４７は、底状部４５の中央部から奥側へ突起し、底蓋２５の出力用の開口孔２６に軸受けされる状態に挿通され、その先端部が奥側外部へ突出して回動動作を外部へ出力できるように設けられている。
【００３４】
これによれば、回動操作伝達体部４０を、ハンドル収納ケース２０内に適切に配することができる無駄のない合理的な形態とすることができると共に、組み立て易い構成とすることができる。従って、生産性を向上でき、生産コストを低減できる。なお、本発明に係るアウターガイド４１と底状部４５との係合関係は、本形態例に限定されるものではなく、両者が一体的になって軸心を中心に回動できる構造であれば、周知の固定方法、連結方法や接続方法を適宜選択的に採用できるのは勿論である。
【００３５】
図１３は、以上の構成を備える収納型ハンドル動作伝達機構を備える水栓の開閉器であって、回動操作伝達体部４０の出力軸４７が、回動によって開閉がなされる水栓８０の操作軸８１に、伝達軸部材８５を介して、連結されている形態例を示している。本形態例の伝達軸部材８５は、ユニバーサルジョイント８５ａが設けられた一端側が出力軸４７に連結され、軸継手８５ｂが設けられた他端側が操作軸８１に連結されている。これによれば、ハンドル部材１０を適切に収納できる水栓の開閉器を合理的に構成することができる。
【００３６】
なお、本形態例は、床に埋め込むタイプを想定した収納型ハンドル動作伝達機構であって、突出ハンドル部１１が上下に出入することで突出され収納されるタイプの例を示してある。しかしながら、本発明はこれに限定されることはなく、突出ハンドル部１１の出入方向が他の方向である場合でも方向性に関係なく、本発明に係る収納型ハンドル動作伝達機構は適切に作動できるものであり、水栓の回動動作による開閉機構を構成するものとして用いられるだけでなく、他の分野の回動動作を伝達する機構として用いることができるのは勿論である。
【００３７】
また、この本形態例の水栓の開閉器に係る収納型ハンドル動作伝達機構では、図１３に示すように、床の下方に設置された水栓８０を開閉するように、ハンドル収納ケース２０を床に埋め込み状態に固定することで設置することができる。これによれば、床上から、不凍水栓のように地中９０に設置されている水栓など、床下に設置されている水栓の開閉を適切且つ容易に行うことができる。
【００３８】
以上、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００３９】
１０  ハンドル部材
１１  突出ハンドル部
１２  外周突起部
１３  軸方向突起部
１４  円形状のベース部
１５  円形凹部
２０  ハンドル収納ケース
２１  ボックス部
２２  筒状本体
２３  外周フランジ部
２３ａ  ビス孔
２４  内周フランジ部
２５  底蓋
２６  出力用の開口孔
３０  インナーガイド
３１  上面部
３１ａ  手前開口
３１ｂ  外周鍔部
３３  案内溝
３５  傾斜案内保持部
３６  二段の案内傾斜面
３６ａ  一方の案内傾斜面
３６ｂ  他方の案内傾斜面
３７  段部
４０  回動操作伝達体部
４１  アウターガイド
４２  筒状部
４２ａ  奥端面突起部
４３  被係合案内溝
４４  誘導傾斜面
４５  底状部
４５ａ  円周凹部
４６  内底面
４６ａ  円形の凸部
４７  出力軸
５０  ブレード
５１  円形状の基体部
５２  係合突起部
５３  受け斜面
５４  奥側の面
５４ａ  円形の凹部
６０  スプリング
７０  床板
７１  被設置孔
７２  床板上面
８０  水栓
８１  操作軸
８５  伝達軸部材
８５ａ  ユニバーサルジョイント
８５ｂ  軸継手
９０  地中
【図１】
2019044814.tif 000003
【図２】
2019044814.tif 000004
【図３】
2019044814.tif 000005
【図４】
2019044814.tif 000006
【図５】
2019044814.tif 000007
【図６】
2019044814.tif 000008
【図７】
2019044814.tif 000009
【図８】
2019044814.tif 000010
【図９】
2019044814.tif 000011
【図１０】
2019044814.tif 000012
【図１１】
2019044814.tif 000013
【図１２】
2019044814.tif 000014
【図１３】
2019044814.tif 000015